(57)【要約】      （修正有）【課題】被介護者が接触する介護用品部材を、天然素材を利用した被介護者に優しい介護用品部材として提供する。【解決手段】被介護者が接触する介護用品部材を脱石油製品とし、天然資材である生ゴムを主材とした介護用品部材を開発する。主として被介護者の接触する部材を生ゴムを主体とし、当該生ゴムに木粉（木くず）、真珠貝粉（あこや貝）を混入した材料にて成形してなる介護用品部材であり、更には、前記介護用品が車いすであり、当該車いすの部材、即ちアームレスト、ハンドリム、グリップ、フットレスト、ブレーキレバーを生ゴムに木粉、真珠貝粉を混入した材料にて成形又は当該材料にて被覆してなる介護用品部材であり、更には、前記介護用品が歩行器であり、当該歩行器のグリップ、もたれ部分を生ゴムに木粉、真珠貝粉を混入した材料にて成形又は当該材料にて被覆してなる介護用品部材である。【選択図】図１
0003168720.tif 000002
【実用新案登録請求の範囲】
【請求項１】
介護用品において、主として被介護者の接触する部材を生ゴムを主体とし、当該生ゴムに木粉（木くず）、真珠貝粉（あこや貝）を混入した材料にて成形してなる介護用品部材。
【請求項２】
前記介護用品が車いすであり、当該車いすの部材、即ちアームレスト、ハンドリム、グリップ、フットレスト、ブレーキレバーを生ゴムに木粉、真珠貝粉を混入した材料にて成形又は当該材料にて被覆してなる請求項１の介護用品部材。
【請求項３】
前記介護用品が歩行器であり、当該歩行器のグリップ、もたれ部分を生ゴムに木粉、真珠貝粉を混入した材料にて成形又は当該材料にて被覆してなる請求項１の介護用品部材。
【請求項４】
前記介護用品が歩行器、即ちシルバーカーであり、当該シルバーカーの持ち手を生ゴムに木粉、真珠貝粉を混入した材料にて被覆してなる請求項１の介護用品部材。
【請求項５】
前記介護用品がベッドの手すりであり、当該手すりを生ゴムに木粉、真珠貝粉を混入した材料にて被覆してなる請求項１の介護用品部材。
【請求項６】
前記介護用品がベッドテーブルであり、当該ベッドテーブルのテーブルを、生ゴムに木粉、真珠貝粉を混入した材料にて成形又は当該材料にて被覆してなる請求項１の介護用品部材。
【請求項７】
前記介護用品がライフケアテーブルであり、当該ライフケアテーブルのテーブルを、生ゴムに木粉、真珠貝粉を混入した材料にて成形又は当該材料にて被覆してなる請求項１の介護用品部材。
【請求項８】
前記介護用品が浴槽手すりであり、当該手すりの持ち手部分を生ゴムに木粉、真珠貝粉を混入した材料にて被覆してなる請求項１の介護用品部材。
【請求項９】
前記介護用品がシャワー用車いすであり、当該車いすのアームレスト、グリップ、フットレスト、座板を生ゴムに木粉、真珠貝粉を混入した材料にて成形又は当該材料にて被覆してなる請求項１の介護用品部材。
【請求項１０】
前記介護用品が立ち座り又は歩行をサポートする杖であり、当該杖のグリップ部分を生ゴムに木粉、真珠貝粉を混入した材料にて被覆してなる請求項１の介護用品部材。
【請求項１１】
前記介護用品が立ち上り用手すりであり、当該手すりのグリップ部分を生ゴムに木粉、真珠貝粉を混入した材料にて被覆してなる請求項１の介護用品部材。
【請求項１２】
前記介護用品がトイレサポートであり、当該トイレサポートの手すり部分、即ちグリップ部分を生ゴムに木粉、真珠貝粉を混入した材料にて被覆してなる請求項１の介護用品部材。
【考案の詳細な説明】
【技術分野】
【０００１】  本考案は、車いす、歩行器、シルバーカー、介護用ベッド、浴槽手すり等の被介護者が触る部材の改良に関するものである。
【背景技術】
【０００２】  従来より、車いすのアームレスト、ハンドリム、グリップ、フットレスト、ブレーキレバー等は石油製品であるプラスチックで成型されているのがほとんどである。近年脱石油製品が問題提起されており、被介護者が車いす使用時に常時触るアームレスト、ハンドリム等は特に脱石油製品が望ましい。【０００３】  最近ではプラスチックに押されて天然ゴム製品は少なくなっているが、やはり介護用品部材には天然ゴムを用いることが望ましいのではないだろうか。【０００４】  また地域的ではあるが、出願人の住んでいる愛媛地方では、杉、ヒノキ等の間伐材の処理が問題となっている。これら杉、ヒノキには抗菌作用があることも知られており、介護用品部材に利用できないか考察する必要がある。【０００５】  更に愛媛の宇和島地方においては真珠養殖が盛んであるが、その真珠を取りだした後の真珠貝（あこや貝）が年間で１．０００トン余りあり、その処理が問題となっている。一部は装飾用品として使用されているが、使用量は極少である。しかし、当該真珠貝（あこや貝）にも抗菌作用があることは知られており、この抗菌作用を主眼とした新たな使用が求められている。
【考案の開示】
【考案が解決しようとする課題】
【０００６】  解決しようとする問題点は、被介護者が接触する介護用品部材を脱石油製品とし、天然素材を利用した被介護者に優しい部材とすること、これが考案が解決しようとする課題である。
【課題を解決するための手段】
【０００７】  本考案は、被介護者が接触する介護用品部材を脱石油製品とし、天然資材である生ゴムを主材とした介護用品部材の開発、それが課題を解決するための手段である。
【考案の効果】
【０００８】  本考案は、介護用品において、主として被介護者の接触する部材を生ゴムを主体とし、当該生ゴムに木粉（木くず）、真珠貝粉（あこや貝）を混入した材料にて成形してなる介護用品部材であり、更には、前記介護用品が車いすであり、当該車いすの部材、即ちアームレスト、ハンドリム、グリップ、フットレスト、ブレーキレバーを生ゴムに木粉、真珠貝粉を混入した材料にて成形又は当該材料にて被覆してなる介護用品部材であり、更には、前記介護用品が歩行器であり、当該歩行器のグリップ、もたれ部分を生ゴムに木粉、真珠貝粉を混入した材料にて成形又は当該材料にて被覆してなる介護用品部材であり、更には、前記介護用品が歩行器、即ちシルバーカーであり、当該シルバーカーの持ち手を生ゴムに木粉、真珠貝粉を混入した材料にて被覆してなる介護用品部材であり、更には、前記介護用品がベッドの手すりであり、当該手すりを生ゴムに木粉、真珠貝粉を混入した材料にて被覆してなる介護用品部材であり、更には、前記介護用品がベッドテーブルであり、当該ベッドテーブルのテーブルを、生ゴムに木粉、真珠貝粉を混入した材料にて成形又は当該材料にて被覆してなる介護用品部材であり、更には、前記介護用品がライフケアテーブルであり、当該ライフケアテーブルのテーブルを、生ゴムに木粉、真珠貝粉を混入した材料にて成形又は当該材料にて被覆してなる介護用品部材であり、更には、前記介護用品が浴槽手すりであり、当該手すりの持ち手部分を生ゴムに木粉、真珠貝粉を混入した材料にて被覆してなる介護用品部材であり、更には、前記介護用品がシャワー用車いすであり、当該車いすのアームレスト、グリップ、フットレスト、座板を生ゴムに木粉、真珠貝粉を混入した材料にて成形又は当該材料にて被覆してなる介護用品部材であり、更には、前記介護用品が立ち座り又は歩行をサポートする杖であり、当該杖のグリップ部分を生ゴムに木粉、真珠貝粉を混入した材料にて被覆してなる介護用品部材であり、更には、前記介護用品が立ち上り用手すりであり、当該手すりのグリップ部分を生ゴムに木粉、真珠貝粉を混入した材料にて被覆してなる介護用品部材であり、更には、前記介護用品がトイレサポートであり、当該トイレサポートの手すり部分、即ちグリップ部分を生ゴムに木粉、真珠貝粉を混入した材料にて被覆してなる介護用品部材であるから、従来は被介護者が常に設食する部材に石油製品が用いられており、被介護者に悪影響を及ぼす憂いもあったが、本考案では自然の天然素材である生ゴムを主材として、当該生ゴムに抗菌性、脱臭性のあることが知られている杉、ヒノキの間伐材の木粉（木くず）、また同じく抗菌性、脱臭性のある真珠貝（あこや貝）の粉末を混練しているので、被介護者に優しい介護用品部材を提供することができる。しかも、愛媛地方では問題となっている杉、ヒノキの間伐材、また真珠貝（あこや貝）の処理にも繋がり、その効果はあらゆる方面に極めて大きく顕著なる実用的効果を有するものである。
【考案を実施するための最良の形態】
【０００９】  介護用品において、主として被介護者の接触する部材を生ゴムを主体とし、当該生ゴムに木粉（木くず）、真珠貝粉（あこや貝）を混入した材料にて成形してなる介護用品部材を呈せんとするものである。
【実施例１】
【００１０】  図１に示す車いす１であり、当該車いす１の部材、即ちアームレスト４、ハンドリム３、グリップ２、フットレスト６、ブレーキレバーのグリップ５を生ゴムに木粉、真珠貝粉を混入した材料にて成形又は当該材料にて被覆している。この際、グリップ２及びブレーキレバーのグリップ５はハンドル又はブレーキレバーに装着し得る筒状に成形し、ハンドリム３の場合は、リムの芯金に被覆、アームレスト４の場合は成形もしくはアームレスト台上面に張着してもよい。フットレスト６も生ゴムに木粉、真珠貝粉を混入した材料にて成形している。木粉に突いては杉、ヒノキ等の間伐材を微粉砕したものであり、真珠貝（あこや貝）の粉に突いては、当該真珠貝を焼いて粉末にしたものである。【００１１】  図２に示すキャスター付きの歩行器７又は図３に示す固定式歩行器７の場合は、キャスター付き歩行器７は身体保持部分８を生ゴムに木粉、真珠貝粉を混入した材料にて成形する。また図３に示す固定式歩行器７の場合は本考案実施例においては、グリップ部分に生ゴムに木粉、真珠貝粉を混入した材料にて成形グリップ８を装着するようにしている。【００１２】  図４に示すシルバーカー９は、当該シルバーカー９の持ち手１０を生ゴムに木粉、真珠貝粉を混入した材料にて被覆している。【００１３】  図５に示すベッド１１では、当該ベッド１１に装着する手すり１２の被介護者がよく接触する部分を生ゴムに木粉、真珠貝粉を混入した材料にて被覆している。尚、当該ベッド１１の手すり１２については使用用途等により種々異なる形状があるが、いずれの形状においても被介護者がよく接触する部分を生ゴムに木粉、真珠貝粉を混入した材料にて被覆している。【００１４】  図６は被介護者がベッド上で食事をしたりするときに用いるベッドサイドテーブル１３であり、図７に示すベッドテーブル１３もようとは同じである。当該ベッドサイドテーブルとベッドテーブルのテーブル部分１４を生ゴムに木粉、真珠貝粉を混入した材料にて成形するか、もしくはテーブル基台上面に生ゴムに木粉、真珠貝粉を混入した材料にて成形したテーブル面を張着している。基台板を当該材料にて被覆してもよい。【００１５】  図８はライフケアテーブル１５を示すもので、当該ライフケアテーブル１５のテーブル１６を生ゴムに木粉、真珠貝粉を混入した材料にて成形するか、もしくはテーブル基台上面に生ゴムに木粉、真珠貝粉を混入した材料にて成形したテーブル面を張着している。基台板を当該材料にて被覆してもよい。ライフケアテーブル１５は、テーブルのくびれ部分で身体を支えることにより、左右の姿勢保持が難しい高齢者や障害のある方がベッドサイドで正しい姿勢で足を床につけ、きちんと座ることができる。座ることにより床ずれ解消や、関節の拘縮が徐々にとれ、少しずつ座ることになれて、長い時間座ることができるようになってくるものである。【００１６】  図９及び図１０は浴槽手すりで、当該浴槽手すりのグリップ部分１７を生ゴムに木粉、真珠貝粉を混入した材料にて被覆している。【００１７】図１１は浴場にて用いるシャワー用車いす１８であり、被介護者が当該車いす１８に座ったままシャワーが浴びられるようになっている。当該車いす１８のグリップ１９、ア���ムレスト２０、いす座２１、フットレスト２２を生ゴムに木粉、真珠貝粉を混入した材料にて成形又は当該材料にて被覆している。この際、グリップ１９はハンドルに装着し得る筒状に成形し、アームレスト２０の場合は成形もしくはアームレスト台上面に張着してもよい。いす座２１及びフットレスト２２は生ゴムに木粉、真珠貝粉を混入した材料にて成形している。【００１８】図１２は立ち座りの動作をサポートする三脚杖２３であり、当該三脚杖２３のグリップ部分２４に生ゴムに木粉、真珠貝粉を混入した材料にて成形した筒状グリップを装着している。図１３は歩行補助の杖２５で、グリップ、即ち握り部分２６を生ゴムに木粉、真珠貝粉を混入した材料にて成形している。【００１９】  図１４は立ち上り専用の手すり２７で、当該手すり２７の握り部分２８を生ゴムに木粉、真珠貝粉を混入した材料にて被覆している。【００２０】  図１５はトイレサポートの手すり２９で、アームレスト３０は生ゴムに木粉、真珠貝粉を混入した材料にて成形したものを装着しており、下方のグリップ部分３１は同じく生ゴムに木粉、真珠貝粉を混入した材料にて被覆している。
【産業上の利用可能性】
【００２１】  本考案は、介護用品において、主として被介護者の接触する部材を生ゴムを主体とし、当該生ゴムに木粉（木くず）、真珠貝粉（あこや貝）を混入した材料にて成形してなる介護用品部材であり、更には、前記介護用品が車いすであり、当該車いすの部材、即ちアームレスト、ハンドリム、グリップ、フットレスト、ブレーキレバーを生ゴムに木粉、真珠貝粉を混入した材料にて成形又は当該材料にて被覆してなる介護用品部材であり、更には、前記介護用品が歩行器であり、当該歩行器のグリップ、もたれ部分を生ゴムに木粉、真珠貝粉を混入した材料にて成形又は当該材料にて被覆してなる介護用品部材であり、更には、前記介護用品が歩行器、即ちシルバーカーであり、当該シルバーカーの持ち手を生ゴムに木粉、真珠貝粉を混入した材料にて被覆してなる介護用品部材であり、更には、前記介護用品がベッドの手すりであり、当該手すりを生ゴムに木粉、真珠貝粉を混入した材料にて被覆してなる介護用品部材であり、更には、前記介護用品がベッドテーブルであり、当該ベッドテーブルのテーブルを、生ゴムに木粉、真珠貝粉を混入した材料にて成形又は当該材料にて被覆してなる介護用品部材であり、更には、前記介護用品がライフケアテーブルであり、当該ライフケアテーブルのテーブルを、生ゴムに木粉、真珠貝粉を混入した材料にて成形又は当該材料にて被覆してなる介護用品部材であり、更には、前記介護用品が浴槽手すりであり、当該手すりの持ち手部分を生ゴムに木粉、真珠貝粉を混入した材料にて被覆してなる介護用品部材であり、更には、前記介護用品がシャワー用車いすであり、当該車いすのアームレスト、グリップ、フットレスト、座板を生ゴムに木粉、真珠貝粉を混入した材料にて成形又は当該材料にて被覆してなる介護用品部材であり、更には、前記介護用品が立ち座り又は歩行をサポートする杖であり、当該杖のグリップ部分を生ゴムに木粉、真珠貝粉を混入した材料にて被覆してなる介護用品部材であり、更には、前記介護用品が立ち上り用手すりであり、当該手すりのグリップ部分を生ゴムに木粉、真珠貝粉を混入した材料にて被覆してなる介護用品部材であり、更には、前記介護用品がトイレサポートであり、当該トイレサポートの手すり部分、即ちグリップ部分を生ゴムに木粉、真珠貝粉を混入した材料にて被覆してなる介護用品部材であるから、従来は被介護者が常に設食する部材に石油製品が用いられており、被介護者に悪影響を及ぼす憂いもあったが、本考案では自然の天然素材である生ゴムを主材として、当該生ゴムに抗菌性、脱臭性のあることが知られている杉、ヒノキの間伐材の木粉（木くず）、また同じく抗菌性、脱臭性のある真珠貝（あこや貝）の粉末を混練しているので、被介護者に優しい介護用品部材を提供することができ、介護用品部材の製作者にとっても新たな製品の開発に繋がり、しかも、愛媛地方では問題となっている杉、ヒノキの間伐材、また年間に１．０００トンと言われている真珠貝（あこや貝）の処理にも繋がり、その効果はあらゆる方面に極めて大きい等、産業上の利用可能性は極めて大きいものである。
【図面の簡単な説明】
【００２２】
【図１】  車いすの斜視図
【図２】  キャスター付き歩行器の斜視図
【図３】  固定式歩行器の斜視図
【図４】  シルバーカーの斜視図
【図５】  介護用ベッドの斜視図
【図６】  ベッドサイドテーブルの斜視図
【図７】  ベッドテーブルの斜視図
【図８】  ライフケアテーブルの斜視図
【図９】  浴槽手すりの斜視図
【図１０】  浴槽手すりの斜視図
【図１１】  シャワー用車いすの斜視図
【図１２】  三脚杖の斜視図
【図１３】  杖の側面図
【図１４】  立ち上りサポートの手すり斜視図
【図１５】  トイレサポートの手すり斜視図
【符号の説明】
【００２３】１    車いす
２    車いすグリップ
３    ハンドリム
４    車いすのアームレスト
５    ブレーキレバー
６    車いすのフットレスト
７    キャスター付き歩行器
８    身体保持部分
９    シルバーカー
１０  シルバーカーの持ち手
１１  介護用ベッド
１２  ベッド手すり
１３  ベッドテーブル
１４  テーブル
１５  ライフケアテーブル
１６  テーブル
１７  浴槽手すり
１８  シャワー用車いす
１９  シャワー用車いすグリップ
２０  シャワー用車いすアームレスト
２１  シャワー用車いす座いす
２２  シャワー用車いすフットレスト
２３  三脚杖
２４  三脚杖グリップ
２５  杖
２６  杖のグリップ
２７  立ち上りサポート手すり
２８  立ち上りサポート手すりの握り部分
２９  トイレサポート
３０  トイレサポート手すりのアームレスト
３１  トイレサポート手すりのグリップ
【図１】
0003168720.tif 000003
【図２】
0003168720.tif 000004
【図３】
0003168720.tif 000005
【図４】
0003168720.tif 000006
【図５】
0003168720.tif 000007
【図６】
0003168720.tif 000008
【図７】
0003168720.tif 000009
【図８】
0003168720.tif 000010
【図９】
0003168720.tif 000011
【図１０】
0003168720.tif 000012
【図１１】
0003168720.tif 000013
【図１２】
0003168720.tif 000014
【図１３】
0003168720.tif 000015
【図１４】
0003168720.tif 000016
【図１５】
0003168720.tif 000017
【手続補正書】
【提出日】平成23年3月4日(2011.3.4)
【手続補正１】
【補正対象書類名】実用新案登録請求の範囲
【補正対象項目名】全文
【補正方法】変更
【補正の内容】
【実用新案登録請求の範囲】
【請求項１】
生ゴムに木粉及び真珠貝粉を混入した材料にて成形又は当該材料にて被覆してなるアームレスト、ハンドリム、グリップ、フットレスト及びブレーキレバーを有する車いす。
【請求項２】
生ゴムに木粉及び真珠貝粉を混入した材料にて成形又は当該材料にて被覆してなるグリップ及びもたれ部分を有する歩行器。
【請求項３】
生ゴムに木粉及び真珠貝粉を混入した材料にて成形又は当該材料にて被覆してなる持ち手を有するシルバーカー。
【請求項４】
生ゴムに木粉及び真珠貝粉を混入した材料にて成形又は当該材料にて被覆してなる手すりを有するベッド。
【請求項５】
生ゴムに木粉及び真珠貝粉を混入した材料にて成形又は当該材料にて被覆してなるテーブルを有するベッドテーブル。
【請求項６】
生ゴムに木粉及び真珠貝粉を混入した材料にて成形又は当該材料にて被覆してなるテーブルを有するライフケアテーブル。
【請求項７】
生ゴムに木粉及び真珠貝粉を混入した材料にて成形又は当該材料にて被覆してなる持ち手部分を有する浴槽手すり。
【請求項８】
生ゴムに木粉及び真珠貝粉を混入した材料にて成形又は当該材料にて被覆してなるアームレスト、グリップ、フットレスト及び座板を有するシャワー用車いす。
【請求項９】
生ゴムに木粉及び真珠貝粉を混入した材料にて成形又は当該材料にて被覆してなるグリップを有する立ち座り又は歩行をサポートする杖。
【請求項１０】
生ゴムに木粉及び真珠貝粉を混入した材料にて成形又は当該材料にて被覆してなるグリップ部分を有する立ち上り用手すり。
【請求項１１】
生ゴムに木粉及び真珠貝粉を混入した材料にて成形又は当該材料にて被覆してなるグリップ部分を有するトイレサポート。
【手続補正２】
【補正対象書類名】明細書
【補正対象項目名】全文
【補正方法】変更
【補正の内容】
【考案の詳細な説明】
【技術分野】
【０００１】  本考案は、車いす、歩行器、シルバーカー、介護用ベッド、浴槽手すり等の被介護者が触る部材の改良に関するものである。
【背景技術】
【０００２】  従来より、車いすのアームレスト、ハンドリム、グリップ、フットレスト、ブレーキレバー等は石油製品であるプラスチックで成型されているのがほとんどである。近年脱石油製品が問題提起されており、被介護者が車いす使用時に常時触るアームレスト、ハンドリム等は特に脱石油製品が望ましい。【０００３】  最近ではプラスチックに押されて天然ゴム製品は少なくなっているが、やはり介護用品部材には天然ゴムを用いることが望ましいのではないだろうか。【０００４】  また地域的ではあるが、出願人の住んでいる愛媛地方では、杉、ヒノキ等の間伐材の処理が問題となっている。これら杉、ヒノキには抗菌作用があることも知られており、介護用品部材に利用できないか考察する必要がある。【０００５】  更に愛媛の宇和島地方においては真珠養殖が盛んであるが、その真珠を取りだした後の真珠貝（あこや貝）が年間で１．０００トン余りあり、その処理が問題となっている。一部は装飾用品として使用されているが、使用量は極少である。しかし、当該真珠貝（あこや貝）にも抗菌作用があることは知られており、この抗菌作用を主眼とした新たな使用が求められている。
【考案の開示】
【考案が解決しようとする課題】
【０００６】  解決しようとする問題点は、被介護者が接触する介護用品部材を脱石油製品とし、天然素材を利用した被介護者に優しい部材とすること、これが考案が解決しようとする課題である。
【課題を解決するための手段】
【０００７】  本考案は、被介護者が接触する介護用品部材を脱石油製品とし、天然資材である生ゴムを主材とした介護用品部材の開発、それが課題を解決するための手段である。
【考案の効果】
【０００８】  本考案は、生ゴムに木粉及び真珠貝粉を混入した材料にて成形又は当該材料にて被覆してなるアームレスト、ハンドリム、グリップ、フットレスト及びブレーキレバーを有する車いすであり、更には、生ゴムに木粉及び真珠貝粉を混入した材料にて成形又は当該材料にて被覆してなるグリップ及びもたれ部分を有する歩行器であり、更には、生ゴムに木粉及び真珠貝粉を混入した材料にて成形又は当該材料にて被覆してなる持ち手を有するシルバーカーであり、更には、生ゴムに木粉及び真珠貝粉を混入した材料にて成形又は当該材料にて被覆してなる手すりを有するベッドであり、更には、生ゴムに木粉及び真珠貝粉を混入した材料にて成形又は当該材料にて被覆してなるテーブルを有するベッドテーブルであり、更には、生ゴムに木粉及び真珠貝粉を混入した材料にて成形又は当該材料にて被覆してなるテーブルを有するライフケアテーブルであり、更には、生ゴムに木粉及び真珠貝粉を混入した材料にて成形又は当該材料にて被覆してなる持ち手部分を有する浴槽手すりであり、更には、生ゴムに木粉及び真珠貝粉を混入した材料にて成形又は当該材料にて被覆してなるアームレスト、グリップ、フットレスト及び座板を有するシャワー用車いすであり、更には、生ゴムに木粉及び真珠貝粉を混入した材料にて成形又は当該材料にて被覆してなるグリップを有する立ち座り又は歩行をサポートする杖であり、更には、生ゴムに木粉及び真珠貝粉を混入した材料にて成形又は当該材料にて被覆してなるグリップ部分を有する立ち上り用手すりであり、更には、生ゴムに木粉及び真珠貝粉を混入した材料にて成形又は当該材料にて被覆してなるグリップ部分を有するトイレサポートであるから、従来は被介護者が常に設食する部材に石油製品が用いられており、被介護者に悪影響を及ぼす憂いもあったが、本考案では自然の天然素材である生ゴムを主材として、当該生ゴムに抗菌性、脱臭性のあることが知られている杉、ヒノキの間伐材の木粉（木くず）、また同じく抗菌性、脱臭性のある真珠貝（あこや貝）の粉末を混練しているので、被介護者に優しい介護用品部材を提供することができる。しかも、愛媛地方では問題となっている杉、ヒノキの間伐材、また真珠貝（あこや貝）の処理にも繋がり、その効果はあらゆる方面に極めて大きく顕著なる実用的効果を有するものである。
【考案を実施するための最良の形態】
【０００９】  介護用品において、主として被介護者の接触する部材を生ゴムを主体とし、当該生ゴムに木粉（木くず）、真珠貝粉（あこや貝）を混入した材料にて成形又は被覆してなる介護用品部材を呈せんとするものである。
【実施例１】
【００１０】  図１に示す車いす１であり、当該車いす１の部材、即ちアームレスト４、ハンドリム３、グリップ２、フットレスト６、ブレーキレバーのグリップ５を生ゴムに木粉、真珠貝粉を混入した材料にて成形又は当該材料にて被覆している。この際、グリップ２及びブレーキレバーのグリップ５はハンドル又はブレーキレバーに装着し得る筒状に成形し、ハンドリム３の場合は、リムの芯金に被覆、アームレスト４の場合は成形もしくはアームレスト台上面に張着してもよい。フットレスト６も生ゴムに木粉、真珠貝粉を混入した材料にて成形している。木粉に突いては杉、ヒノキ等の間伐材を微粉砕したものであり、真珠貝（あこや貝）の粉に突いては、当該真珠貝を焼いて粉末にしたものである。【００１１】  図２に示すキャスター付きの歩行器７又は図３に示す固定式歩行器７の場合は、キャスター付き歩行器７は身体保持部分８を生ゴムに木粉、真珠貝粉を混入した材料にて成形する。また図３に示す固定式歩行器７の場合は本考案実施例においては、グリップ部分に生ゴムに木粉、真珠貝粉を混入した材料にて成形グリップ８を装着するようにしている。【００１２】  図４に示すシルバーカー９は、当該シルバーカー９の持ち手１０を生ゴムに木粉、真珠貝粉を混入した材料にて被覆している。【００１３】  図５に示すベッド１１では、当該ベッド１１に装着する手すり１２の被介護者がよく接触する部分を生ゴムに木粉、真珠貝粉を混入した材料にて被覆している。尚、当該ベッド１１の手すり１２については使用用途等により種々異なる形状があるが、いずれの形状においても被介護者がよく接触する部分を生ゴムに木粉、真珠貝粉を混入した材料にて被覆している。【００１４】  図６は被介護者がベッド上で食事をしたりするときに用いるベッドサイドテーブル１３であり、図７に示すベッドテーブル１３もようとは同じである。当該ベッドサイドテーブルとベッドテーブルのテーブル部分１４を生ゴムに木粉、真珠貝粉を混入した材料にて成形するか、もしくはテーブル基台上面に生ゴムに木粉、真珠貝粉を混入した材料にて成形したテーブル面を張着している。基台板を当該材料にて被覆してもよい。【００１５】  図８はライフケアテーブル１５を示すもので、当該ライフケアテーブル１５のテーブル１６を生ゴムに木粉、真珠貝粉を混入した材料にて成形するか、もしくはテーブル基台上面に生ゴムに木粉、真珠貝粉を混入した材料にて成形したテーブル面を張着している。基台板を当該材料にて被覆してもよい。ライフケアテーブル１５は、テーブルのくびれ部分で身体を支えることにより、左右の姿勢保持が難しい高齢者や障害のある方がベッドサイドで正しい姿勢で足を床につけ、きちんと座ることができる。座ることにより床ずれ解消や、関節の拘縮が徐々にとれ、少しずつ座ることになれて、長い時間座ることができるようになってくるものである。【００１６】  図９及び図１０は浴槽手すりで、当該浴槽手すりのグリップ部分１７を生ゴムに木粉、真珠貝粉を混入した材料にて被覆している。【００１７】図１１は浴場にて用いるシャワー用車いす１８であり、被介護者が当該車いす１８に座ったままシャワーが浴びられるようになっている。当該車いす１８のグリップ１９、ア���ムレスト２０、いす座２１、フットレスト２２を生ゴムに木粉、真珠貝粉を混入した材料にて成形又は当該材料にて被覆している。この際、グリップ１９はハンドルに装着し得る筒状に成形し、アームレスト２０の場合は成形もしくはアームレスト台上面に張着してもよい。いす座２１及びフットレスト２２は生ゴムに木粉、真珠貝粉を混入した材料にて成形している。【００１８】図１２は立ち座りの動作をサポートする三脚杖２３であり、当該三脚杖２３のグリップ部分２４に生ゴムに木粉、真珠貝粉を混入した材料にて成形した筒状グリップを装着している。図１３は歩行補助の杖２５で、グリップ、即ち握り部分２６を生ゴムに木粉、真珠貝粉を混入した材料にて成形している。【００１９】  図１４は立ち上り専用の手すり２７で、当該手すり２７の握り部分２８を生ゴムに木粉、真珠貝粉を混入した材料にて被覆している。【００２０】  図１５はトイレサポートの手すり２９で、アームレスト３０は生ゴムに木粉、真珠貝粉を混入した材料にて成形したものを装着しており、下方のグリップ部分３１は同じく生ゴムに木粉、真珠貝粉を混入した材料にて被覆している。
【産業上の利用可能性】
【００２１】  本考案は、生ゴムに木粉及び真珠貝粉を混入した材料にて成形又は当該材料にて被覆してなるアームレスト、ハンドリム、グリップ、フットレスト及びブレーキレバーを有する車いすであり、更には、生ゴムに木粉及び真珠貝粉を混入した材料にて成形又は当該材料にて被覆してなるグリップ及びもたれ部分を有する歩行器であり、更には、生ゴムに木粉及び真珠貝粉を混入した材料にて成形又は当該材料にて被覆してなる持ち手を有するシルバーカーであり、更には、生ゴムに木粉及び真珠貝粉を混入した材料にて成形又は当該材料にて被覆してなる手すりを有するベッドであり、更には、生ゴムに木粉及び真珠貝粉を混入した材料にて成形又は当該材料にて被覆してなるテーブルを有するベッドテーブルであり、更には、生ゴムに木粉及び真珠貝粉を混入した材料にて成形又は当該材料にて被覆してなるテーブルを有するライフケアテーブルであり、更には、生ゴムに木粉及び真珠貝粉を混入した材料にて成形又は当該材料にて被覆してなる持ち手部分を有する浴槽手すりであり、更には、生ゴムに木粉及び真珠貝粉を混入した材料にて成形又は当該材料にて被覆してなるアームレスト、グリップ、フットレスト及び座板を有するシャワー用車いすであり、更には、生ゴムに木粉及び真珠貝粉を混入した材料にて成形又は当該材料にて被覆してなるグリップを有する立ち座り又は歩行をサポートする杖であり、更には、生ゴムに木粉及び真珠貝粉を混入した材料にて成形又は当該材料にて被覆してなるグリップ部分を有する立ち上り用手すりであり、更には、生ゴムに木粉及び真珠貝粉を混入した材料にて成形又は当該材料にて被覆してなるグリップ部分を有するトイレサポートであるから、従来は被介護者が常に接触する部材に石油製品が用いられており、被介護者に悪影響を及ぼす憂いもあったが、本考案では自然の天然素材である生ゴムを主材として、当該生ゴムに抗菌性、脱臭性のあることが知られている杉、ヒノキの間伐材の木粉（木くず）、また同じく抗菌性、脱臭性のある真珠貝（あこや貝）の粉末を混練しているので、被介護者に優しい介護用品部材を提供することができ、介護用品部材の製作者にとっても新たな製品の開発に繋がり、しかも、愛媛地方では問題となっている杉、ヒノキの間伐材、また年間に１．０００トンと言われている真珠貝（あこや貝）の処理にも繋がり、その効果はあらゆる方面に極めて大きい等、産業上の利用可能性は極めて大きいものである。
【図面の簡単な説明】
【００２２】
【図１】  車いすの斜視図
【図２】  キャスター付き歩行器の斜視図
【図３】  固定式歩行器の斜視図
【図４】  シルバーカーの斜視図
【図５】  介護用ベッドの斜視図
【図６】  ベッドサイドテーブルの斜視図
【図７】  ベッドテーブルの斜視図
【図８】  ライフケアテーブルの斜視図
【図９】  浴槽手すりの斜視図
【図１０】  浴槽手すりの斜視図
【図１１】  シャワー用車いすの斜視図
【図１２】  三脚杖の斜視図
【図１３】  杖の側面図
【図１４】  立ち上りサポートの手すり斜視図
【図１５】  トイレサポートの手すり斜視図
【符号の説明】
【００２３】１    車いす
２    車いすグリップ
３    ハンドリム
４    車いすのアームレスト
５    ブレーキレバー
６    車いすのフットレスト
７    キャスター付き歩行器
８    身体保持部分
９    シルバーカー
１０  シルバーカーの持ち手
１１  介護用ベッド
１２  ベッド手すり
１３  ベッドテーブル
１４  テーブル
１５  ライフケアテーブル
１６  テーブル
１７  浴槽手すり
１８  シャワー用車いす
１９  シャワー用車いすグリップ
２０  シャワー用車いすアームレスト
２１  シャワー用車いす座いす
２２  シャワー用車いすフットレスト
２３  三脚杖
２４  三脚杖グリップ
２５  杖
２６  杖のグリップ
２７  立ち上りサポート手すり
２８  立ち上りサポート手すりの握り部分
２９  トイレサポート
３０  トイレサポート手すりのアームレスト
３１  トイレサポート手すりのグリップ